(57)【要約】  コンピュータシミュレータプログラムを制御する少なくとも１台の制御モジュール（１，２）と、シート部（３）とバックサポート（４）を備えているシートと、ユーザがシートのシート部（３）に着座し、そこから少なくとも１台の制御モジュール（１，２）を操作できるように、シートと少なくとも１台の制御モジュール（１，２）を互いに連結する少なくとも一つの機構部（５）とを備え、シートのバックサポート（４）は、バックサポート（４）が上記シート部（３）から上向きに動作角（α）で延在し、ユーザの背中の少なくとも一部を支える第１の位置と、バックサポート（４）がシート部（３）から上向きに上記動作角（α）で延在せずに、たとえば、制御システムの輸送および／または収納のための第２の位置との間で移動可能である、コンピュータシミュレーション制御システムである。
2007534998.tif 000002
【特許請求の範囲】
【請求項１】
コンピュータシミュレータプログラムを制御する少なくとも１つの制御モジュール（１，２）と、
シート部（３）およびバックサポート（４）を備えているシートと、
ユーザが前記シートの前記シート部（３）に着座し、そこから前記少なくとも１つの制御モジュール（１，２）を操作できるように、前記シートと前記少なくとも１つの制御モジュール（１，２）とを互いに結合する少なくとも一つの機構部（５）とを備え、
前記シートの前記バックサポート（４）は、前記バックサポート（４）が前記シート部（３）から上向きに動作角（α）で延在しており、ユーザの背中の少なくとも一部を支えるための第１の位置と、前記バックサポート（４）が前記シート部（３）から上向きに前記動作角（α）で延在せずに、たとえば、制御システムの輸送および／または収納のための第２の位置との間で移動可能である、
コンピュータシミュレーション制御システム。
【請求項２】
前記バックサポート（４）は、前記バックサポート（４）が前記第２の位置にある場合に、前記シート部（３）の実質的に向かい側に延在する、請求項１に記載の制御システム。
【請求項３】
前記バックサポート（４）と前記シート部（３）は、前記バックサポート（４）が前記第２の位置にあるとき収納空間（Ｓ）を少なくとも部分的に囲うように配置されている、請求項１または２に記載の制御システム。
【請求項４】
前記収納空間（Ｓ）は、特に当該制御システムの輸送および／または収納中に、前記制御モジュール（１，２）の前記少なくとも一部を収容するように構成されている、請求項３に記載の制御システム。
【請求項５】
前記シート部（３）は、特にバケットシートを形成する実質的に上向きに延在するサイド部を備えている、請求項１から請求項４のいずれか一項に記載の制御システム。
【請求項６】
前記シート部はシートフレーム（６）を備え、前記バックサポートはバックサポートフレーム（８）を備え、前記シートフレーム（６）および前記バックサポートフレーム（８）はこれらのフレーム（６，８）を互いに可動的に接続するフレームコネクタ（７）を備えている、請求項１から請求項５のいずれか一項に記載の制御システム。
【請求項７】
前記シートフレーム（６）がほぼ水平方向に延在する底フレーム部（６ａ）を備え、前記シートフレーム（６）は前記底フレーム部（６ａ）から上向きにほぼ前記動作角（α）で延在する後方フレーム部（６ｂ）を備え、前記バックサポートフレーム（８）は前記シートフレーム（６）の前記後方フレーム（６ｂ）部に可動的に接続されている、請求項６に記載の制御システム。
【請求項８】
前記バックサポート（４）は、前記第１の位置と第２の位置との間で回動軸（１０）周りに旋回するように、前記シートの前記バックサポート（４）と前記シート部（３）とが互いに回動可能に接続されている、請求項１から請求項７のいずれか一項に記載の制御システム。
【請求項９】
前記バックサポート（４）は前記第１の位置にあるときに、前記バックサポート（４）を前記第２の位置へ動かすために、前記シートの前記バックサポート（４）および前記シート部（３）が互いに着脱可能に接続されている、請求項１から請求項７のいずれか一項に記載の制御システム。
【請求項１０】
前記バックサポート（４）が前記第１の位置にあるときに、前記シートの前記バックサポート（４）を前記シート部（３）に固定する、少なくとも１個のロック機構部（１１，１２）を備えている、請求項１から請求項９のいずれか一項に記載の制御システム。
【請求項１１】
前記ロック機構部は少なくとも１個のブッシュ（１１）と少なくとも１個のボルト（１２）とを備え、前記少なくとも１個のブッシュ（１１）と前記少なくとも１個のボルト（１２）は、前記バックサポート（４）をその第１の位置に固定するために互いに協働するように配置されている、請求項６および請求項１０に記載された制御システム。
【請求項１２】
各ブッシュ（１１）は前記シートフレーム（６）に取り付けられ、各ボルト（１２）は前記バックサポートフレーム（８）に可動的に接続されている、請求項６および請求項１１に記載の制御システム。
【請求項１３】
少なくとも前記バックサポート（４）はカバー（１３）を備え、前記バックサポートの前記カバー（１３）は前記シート部（３）に少なくとも部分的に着脱可能に接続され、前記カバー（３）は、当該システムの組立後に、好ましくは前記シート部（３）上にもわたって広がる、請求項１から請求項１２のいずれか一項に記載の制御システム。
【請求項１４】
コンピュータシミュレータプログラムを制御する前記制御モジュールがステアリングホイール（１）を備えている、請求項１から請求項１３のいずれか一項に記載の制御システム。
【請求項１５】
コンピュータシミュレータプログラムを制御する前記制御モジュールが少なくとも１個のフットペダル（２）を備えている、請求項１から請求項１４のいずれか一項に記載の制御システム。
【請求項１６】
前記シート部（３）と前記少なくとも１つの制御モジュール（１，２）とを互いに結合する前記少なくとも一つの機構部は、前記シートから前記少なくとも１つの制御モジュール（１，２）の方へ延びる少なくとも１個の、例えば剛性バーのような細長いエレメント（３）を備えている、請求項１から請求項１５のいずれか一項に記載の制御システム。
【請求項１７】
当該制御システムの前記シートは、前記シートの前記バックサポート（４）が前記第１の位置にあるときに最大の第１の高さ（Ｈ１）を有し、当該制御システムは、前記バックサポート（４）が前記第２の位置にあるときに第２の最大高さ（Ｈ２）を有し、前記第２の最大高さ（Ｈ２）が前記第１の最大高さ（Ｈ１）の半分未満である、請求項１から請求項１６のいずれか一項に記載の制御システム。
【請求項１８】
前記シートの側面からみたとき、前記シートの前記バックサポート（４）の長さ（Ｌ２）は前記シートの前記シート部（３）の長さ（Ｌ１）とほぼ同じである、請求項１から請求項１７のいずれか一項に記載の制御システム。
【請求項１９】
前記シートの前記バックサポート（４）は、前記バックサポート（４）が前記シートの前記シート部（３）から上向きに動作角（α）で延在し、ユーザの背中の少なくとも一部を支えるための第１の位置と、前記バックサポート（４）が前記シート部（３）から上向きに前記動作角（α）で延在せずに、たとえば、制御システムの輸送および／または収納のための第２の位置との間で移動可能である、請求項１から請求項１８のいずれか一項に記載の制御システムのシート。
【請求項２０】
前記バックサポート（４）は前記第１の位置から前記第２の位置へ動かされ、および／または、同様に逆にも動かされる、請求項１から請求項１８のいずれかに記載の制御システムの使用。
【請求項２１】
コンピュータシミュレータプログラムを制御する、請求項１から請求項１８のいずれか一項に記載の制御システムの使用。
【請求項２２】
前記バックサポートは、当該制御システムの輸送および／または収納のための前記第２の位置へ動かされる、請求項１から請求項１８のいずれか一項に記載のコンピュータシミュレーション制御システムを取り扱う方法。
【請求項２３】
前記制御モジュールの少なくとも一部、たとえば、少なくともステアリングホイールおよび／または少なくとも１個のフットペダルが、前記シート部（３）と前記バックサポート（４）との間に配置される、請求項２２に記載の方法。
【請求項２４】
前記バックサポート（４）は、前記第２の位置からユーザの背中の少なくとも一部を支える前記第１の位置へ動かされる、請求項２２または請求項２３に記載の方法。
【請求項２５】
前記シートの前記バックサポートは前記第２の位置に位置付けられ、前記バックサポートは好ましくは前記シートの前記シート部（３）とほぼ向かい合って延在する、請求項１から請求項１８のいずれか一項に記載のコンピュータシミュレーション制御システムを備えている、たとえば、ボックスのようなコンテナ。
【請求項２６】
前記制御モジュール（１，２）の少なくとも一部が、前記シートの前記シート部および前記バックサポート（４）によって少なくとも部分的に囲われた収納空間（Ｓ）に位置する、請求項２５に記載のコンテナ。
【請求項２７】
当該コンテナ（Ｂ）の内寸が、直交座標のｘ方向、ｙ方向およびｚ方向で測定された、前記バックサポート（４）が前記第２の位置にある前記シートの最大外寸とほぼ同程度であるか、または、その最大外寸より僅かに大きい、たとえば、約１０％または２０％大きい、請求項２５または請求項２６に記載のコンテナ。
【発明の詳細な説明】
【技術分野】
【０００１】
本発明は、
コンピュータシミュレータプログラムを制御する少なくとも１つの制御モジュールと、
シート部とバックサポートを備えているシートと、
ユーザがシートのシート部に着座し、そこから少なくとも１つの制御モジュールを操作できるように、シートと少なくとも１つの制御モジュールを互いに結合する少なくとも一つの機構部と、
を備えているコンピュータシミュレーション制御システムに関係する。
【背景技術】
【０００２】
このようなコンピュータシミュレーション制御システムは、レーシングカー産業で知られている。組立後、上記少なくとも１つの制御モジュールとシートとは、上記結合用の機構部によって互いに結合される。制御モジュールは、たとえば、レースシミュレーションのため、適当な運転位置において、シートの前方に配置されたステアリングホイールを備えている。コンピュータは、たとえば、外部ホームコンピュータ、パーソナルコンピュータ、ゲームコンピュータなどである。コンピュータシミュレータプログラムを制御する制御モジュールは、既知であり、たとえば、Ｌｏｇｉｔｅｃｈ（商標）によって市販されている。
【０００３】
使用中に、ユーザは上記少なくとも１つの制御モジュールを操作するためにシートに身体を置く。さらに、使用中に、制御モジュールは、通常、前記シミュレータプログラムを実行するコンピュータに接続され、そのプログラムを制御する。組み立てられた制御システムは、シミュレータプログラムの制御中に、高リアリティシミュレーション環境、特に、シミュレーション環境の比較的現実的な感覚を提供する。
【０００４】
既知のコンピュータシミュレーションシステムの欠点は、比較的大きな空間を必要とすることである。したがって、既知のシステムの輸送および／または収納することは、比較的煩雑であり費用がかかる。特に、１個の積荷容積、たとえば１台の運送用コンテナ、または１台のトレーラーコンパートメントに、比較的少数の制御システムしか詰め込むことができず、制御システム１台当たりの輸送コストが高くなる。その上、比較的大型の制御システムの輸送中の取り扱いは、比較的困難であり、システムの精密部品を破損する衝突の原因となり得る。さらに、エンドユーザが制御システムをある場所から別の場所へ移動させることを望む場合があるので、システムは異なる場所で使用される可能性がある。このこともまた、上記のシステムの取り扱いの問題の点から見て、達成することが比較的難しい。
【発明の開示】
【発明が解決しようとする課題】
【０００５】
本発明は、コンピュータシミュレーション制御システムを改良することを目的とする。特に、本発明は、比較的安全かつ容易に輸送、収納、および／または、取り扱うことが可能である、コンピュータシミュレーション制御システムを提供することを目的とする。
【課題を解決するための手段】
【０００６】
この目的を達成するため、本発明のコンピュータシミュレーションシステムは請求項１の構成によって特徴付けられる。
【０００７】
本発明によれば、シートのバックサポートは、バックサポートが上記シート部から上向きに動作角で延在し、ユーザの背中の少なくとも一部を支える第１の位置と、バックサポートがシート部から上向きに上記動作角で延在せずに、たとえば、制御システムの輸送および／または収納のための第２の位置との間で移動可能である。
【０００８】
制御システムの通常の使用中には、上記バックサポートは、比較的現実的なシミュレータ制御環境を作るために第１の位置にある。制御システムが使用されないとき、バックサポートは、第２の位置、たとえば、特に、制御システムの全体的な寸法を縮小するため、とりわけ、システムの高さを低くするために、実質的に水平位置へ簡単に動かすことができる。バックサポートが上記第２の位置にあるとき、制御システムは、たとえば、比較的狭い領域で、比較的容易に輸送、収納、および／または、取り扱うことが可能である。これは、輸送および／または収納コストの実質的な削減をさらにもたらす。本発明までは、コンピュータシミュレーション制御システムのシートが簡単に上記のように構成され、上記利点を生じるというこの簡単な創意工夫を、誰も思い付いていない。
【０００９】
本発明の一実施形態では、シートのバックサポートとシート部は、バックサポートが第１の位置にあるときに、たとえば、蝶番システムを用いて、互いに着脱可能に接続され、それにより、バックサポートを第２の位置へ動かす。バックサポートはシート部から簡単に取り外し可能であり、システムの全体的な寸法をさらに縮小する。
【００１０】
本発明の一態様によれば、シートのバックサポートとシート部は互いに回動可能に接続され、バックサポートは、上記第１の位置と第２の位置との間で回動軸周りに旋回する。したがって、バックサポートはシートのシート部の方へ畳まれてよい。これにより、全体的なシステム寸法が実質的に縮小される。
【００１１】
本発明のさらなる実施形態によれば、制御システムのシートは、シートのバックサポートが第１の位置にあるときに第１の最大の高さを有し、バックサポートが第２の位置にあるときに第２の最大高さを有し、上記第２の最大高さは上記第１の最大高さの半分未満である。
【００１２】
このようにして、シートのバックサポートが第２の位置にあるとき、システムの寸法の大幅な縮小が達成される。特に、システムの高さは、半分以下に縮小されてよく、好ましくは、輸送容積も１／２以下に削減される。したがって、各コンピュータシミュレーション制御システムの輸送コストおよび／または取り扱いコストもまた、１／２以下のほぼ同じ割合で削減され得る。
【００１３】
本発明の好ましい実施形態によれば、バックサポートとシート部は、バックサポートが第２の位置にあるとき、収納空間を少なくとも部分的に囲うように構成される。
【００１４】
このような収納空間は、種々の物体等を安全に収納するため使用され、シートのバックサポートとシート部はこのような物体を破損から保護するために役立つ。その場合、収納空間が、特に、制御システムの輸送および／または収納中に、上記制御モジュールまたは少なくともその一部を収容するために配置されている場合に有利である。このようにして、全体的なコンピュータシミュレーション制御システムは、非常にコンパクトな方法で収納および／または輸送が可能であり、さらに、上記制御モジュールの上記少なくとも一部が上記収納空間内でうまく保護される。このような保護は、シート部およびバックサポートに一つ以上の比較的柔らかいアップホルスター材が設けられている場合に、さらに改善される。
【００１５】
本発明は、請求項１９の構成によって特徴付けられたシートをさらに提供する。このようなシートは、上記の利点のうちの一つ以上を制御システムに提供する。
【００１６】
本発明は、上記バックシートが上記第１の位置から上記第２の位置へ動かされ、および／または、同様に逆にも動かされる、請求項１から１８のいずれかに記載された制御システムの使用をさらに提供する。たとえば、上記バックサポートは、制御システムが安全かつ容易に収納および／または輸送されるべきときに、上記第２の位置へ動かされる。バックサポートは、制御システムがコンピュータシミュレータプログラムを制御するため使用されるべきときに、上記第１の位置へ簡単に動かされる。次に、組み立てられたシステムは、たとえば、システムがレーシングシミュレータプログラムと組み合わせて使用される場合に、シミュレートされるレーシングカーの運転席の比較的現実的な感覚を提供可能である。
【００１７】
本発明は、上記バックサポートが制御システムの輸送および／または収納のための上記第２の位置へ動かされる、請求項１から１８のうちのいずれかに記載されたコンピュータシミュレーション制御システムを取り扱う方法をさらに提供する。この方法は上記の利点のうちの少なくとも一部を提供する。好ましくは、上記制御モジュールの少なくとも一部、たとえば、少なくともステアリングホイールおよび／または少なくとも１個のフットペダルは、上記シート部と上記バックサポートとの間に配置される。このようにして、比較的コンパクトなシステムが達成され、制御モジュールの上記少なくとも一部はシート部およびバックサポートによって保護され得る。動作のため、上記バックサポートは上記第２の位置からユーザの背中の少なくとも一部を支える上記第１の位置へ動かされる。
【００１８】
本発明は、請求項２５の構成によって特徴付けられたコンテナ、たとえば、ボックスをさらに提供する。
【００１９】
コンテナは、有利には、シートのバックサポートが上記第２の位置に位置付けられ、バックサポートが好ましくはシートのシート部と実質的に向かい合って延在する、請求項１から８のうちのいずれかに記載されたコンピュータシミュレーション制御システムを備えている。したがって、コンテナは比較的コンパクトであり、僅かな収納および／または輸送空間しか必要としないものにすることができる。さらに、このようなコンテナは比較的容易に、好ましくは、一人で取り扱い可能であり、たとえば、自家用車の比較的コンパクトなトランクに収納され得る。その上、上記制御モジュールの少なくとも一部がシートの上記シート部および上記バックサポートによって少なくとも部分的に囲われた収納空間内に位置している場合に有利である。したがって、制御システムのシートは、上記制御モジュールまたは制御モジュール部を収納する内部コンテナとして役立つ。
【００２０】
本発明のさらなる実施形態は添付の特許請求の範囲に記載されている。
【００２１】
本発明の実施形態は、単なる一例として、一致する参照符号が一致する部品を示す添付の概略図を参照して、以下に記載される。
【発明を実施するための最良の形態】
【００２２】
図１および２は、
コンピュータシミュレータプログラムを制御する少なくとも１つの制御モジュール１、２と、
シート部３とバックサポート４を備えているシートと、
ユーザがシート部３に着座し、そこから少なくとも１つの制御モジュール１、２を取り扱えるように、シート部３と少なくとも１つの制御モジュール１、２とを互いに結合する少なくとも一つの機構部５と、
を備えた、組み立てられたコンピュータシミュレーション制御システムを示す。
【００２３】
本実施形態では、コンピュータシミュレータプログラムを制御する上記制御モジュールは、ステアリングホイール１および２個のフットペダル２を含むステアリングコラムを備えている。シートと制御モジュール１、２とを結合する上記機構部は、シートの下方部１５から少なくとも１つの制御モジュール１、２の方へ延在する細長いエレメント５、たとえば、剛性バーを備えている。上記下方シート部１５は、上記シート部３の下に延在するシートサポート部材１５を備えている。上記シート部３は、実質的に上向きに延在し、特にバケットシートを形成する側部１６をさらに備えている。その上、バックサポート４はショルダーサポート２５を備えている。
【００２４】
使用中に、上記制御モジュール１、２は、コンピューティング手段などに接続され、そのコンピューティング手段上で実行されている１つ以上のコンピュータプログラムを制御する。特に、制御システムの本実施形態は、コンピュータレーシングシミュレーションを制御するように構成されている。さらに、使用中に、１つ以上のディスプレイが仮想シミュレータ環境を表示するために設けられる。上記コンピューティング手段およびディスプレイは同図に示されていない。
【００２５】
図３から図８に示されているように、本実施形態の上記シート部はシートフレーム６を備え、上記バックサポートはバックサポートフレーム８を備えている。フレーム６、８は、たとえば、適当な金属管などから組み立てられる。上記フレーム６、８のそれぞれにはサポートスプリング１７が設けられる。バックサポートフレームはショルダーサポートフレーム部２５ａを備えている。
【００２６】
図１および図２からさらにわかることは、シートには、シート部３の上およびバックサポート４の上に延在するカバー１３を備えている適当なアップホルスター材がさらに設けられている。好ましくは、シートは、カバー１３、上記フレーム６、８、および、上記サポートスプリング１７の間に延在し、快適さを提供する適当な充填物、詰め物などをさらに備えている。上記カバー３は、シート部の下向きの面が含まれる場合と含まれない場合はあるが、好ましくは、シートの実質的に全外面を覆うようにされる。このようにして、カバー１３は、カバーによって囲われたシート部の良好な保護を提供し、同時に、審美的に心地よく、洗練された外観を提供することができる。
【００２７】
図３から図８においてはっきりとわかるように、シートフレーム６は、制御システムが組み立てられた動作位置にあるときに見られる、実質的に水平方向に延在する底フレーム部６ａを備えている。シートフレーム６は、底フレーム部６ａに対して上向きに実質的にある動作角αで延在する後方フレーム部６ｂを備えている。上記角は、種々の角を含むことがあり、たとえば、約９０〜１３５°の範囲の角α、または、その他の適当な角を含む。図１から図５に示されたバックサポート４の第１の位置では、バックサポートフレーム８は、シートフレーム６の後方フレーム部６ｂに実質的に沿って延在するので、バックサポート４は上記シート部３に対して上向きに実質的に同じ動作角αで延在する。その第１の位置では、バックサポートはユーザの背中の少なくとも一部を支えるため利用できる。その上、シートフレーム６は、剛性バケットシートサイド部１６を提供するサイドサポートフレーム部１６ａを備えている。
【００２８】
本実施形態では、シートフレーム６およびバックサポートフレーム８は、これらのフレーム６と８を互いに可動的に接続するフレームコネクタ７を備えている。特に、シートのバックサポート４は少なくとも第１の位置と第２の位置との間で移動可能である。バックサポート４のこの第２の位置は図７から図８に示されている。この第２の位置では、バックサポート４はシート部３から上向きに上記動作角αで延在せずに、実質的にシート部３の向かい側にある。図７から図８では、バックサポート４は上記第２の位置において実質的に水平方向に横たわっている。バックサポート４が第２の位置にあるとき、制御システムは比較的コンパクトであり、制御システムの輸送および／または収納のため有利である。
【００２９】
本実施形態では、シートのバックサポート４とシート部３とは、互いに回動可能に接続され、バックサポート４は、上記第１の位置と第２の位置との間で回動軸１０周りに旋回する。この目的を達成するため、フレームコネクタは、バックサポートフレーム８をシート部の後方フレーム部６ｂに接続する適当な蝶番７を備えている。
【００３０】
代替的に、シートのバックサポート４とシート部３とは、バックサポート４を適当な第２の位置へ動かすために、バックサポート４が第１の位置にあるとき、たとえば、互いに着脱可能に接続されてよい。このような着脱可能な接続は種々の方法で提供される。たとえば、シートのバックサポート４およびシート部３のフレーム６および８の反対端は、互いに着脱可能にクランプされ、摺動され、および／または、クリック止め（clicked）されるように配置されてよい。たとえば、シート部の後方フレームは、このような着脱可能な接続を提供するために、バックサポートフレーム４の下向きに延在するピンを収容する上向きに延在する管またはブッシュを備えていてよい。
【００３１】
その上、本実施形態は、バックサポート４が上記第１の位置にあるときシートのバックサポート４をシート部３に固定するロック機構部１１、１２を備えている。図３から図８において明らかであるように、各ロック機構部は、ブッシュ１１とボルト１２とを備えている。上記ブッシュ１１とそれぞれのボルト１２とは、バックサポート４をその第１の位置で固定するため、互いに協働するように配置される。本実施形態では、各ブッシュ１１は上記シートフレーム６に取り付けられる。各ボルト１２は、上記バックサポートフレーム８に接続されたガイドブッシュ３１によってそのフレーム８に可動的に接続される。
【００３２】
図５では、ボルト１２は、バックサポートを固定するために、ブッシュ１１の中へ下向きに動かされている。図３、図６から図８に示されているように、ボルト１２がブッシュ１１から外に出されたとき、ロックは行われず、バックサポート４はその第２の位置へ移動させることが可能である。図３および図７においてはっきりとわかるように、リテイナー３０が、ボルト１２を引き出された位置に保持するためにバックフレーム８上に設けられる。本実施形態では、各ボルト１２は、手動操作を楽にさせ、リテイナー３０と協働してボルトを上記上方の引き出された位置に保持するために、延長したグリップ部材１２ａを備えている。当業者には、ロック機構部は、たとえば、１個以上の制御可能なロック部品、ピン、スプリング手段などを備えた種々の方法で構成されることが明白である。
【００３３】
図６および図８からわかるように、バックサポート４およびシート部３は、有利には、バックサポート４が第２の位置にあるとき、収納空間Ｓを少なくとも部分的に囲うように構成される。収納空間Ｓは、好ましくは、制御システムが分解されたとき、特に、制御システムの輸送および／または収納中に、上記制御モジュール１、２、または、それらの少なくとも一部を受け取るために構成され、適合されている。その場合、特に、輸送および／または収納のために、非常にコンパクトな構造が実現される。
【００３４】
好ましくは、シートの後方側に広がるカバー部１３ａは、上記シート部３に少なくとも部分的に着脱可能に接続される。たとえば、カバー１３は、シートの後方側で延在し、シート部に着脱可能に接続された１個以上の区分（sections）を備えていてよい。このような着脱可能な接続は、種々の手段によって、たとえば、Ｖｅｌｃｒｏ（商標）材料、押しボタン、弾性材、ワイヤー材、弦、および／または、その他の適当な手段によって提供され得る。バックサポートが第２の位置へ動かされるべきとき、上記カバー部１３ａは、カバーがその動作を妨害することを避けるために、シートのシート部から少なくとも部分的に簡単に取り外される。
【００３５】
図４に示されているように、制御システムのシートは、シートのバックサポート４が第１の位置にあるとき、最大の第１の高さＨ１の状態である。図８に示されているように、バックサポート４の第２の位置は、バックサポート４がその第２の位置にあるときに、制御システムのシートが第２の最大高さＨ２の状態にある。有利には、本発明によれば、第２の最大高さＨ２は、図４および図８からわかるように、上記第１の最大高さＨ１の半分未満である。
【００３６】
さらに、好ましくは、図４または図８におけるようなシートの側面図に示される場合、シートのバックサポート４の長さＬ２は、シートのシート部３の長さＬ１とほぼ同じ長さである。たとえば、シートのバックサポート４の長さＬ２はシート３の長さＬ１より約０〜１０％しか増減しない。より小さい方が好ましいが、その他の長さ比も使用されてよい。したがって、制御システムのシートは、図６から図８に示されているように、バックサポートをその第２の位置へ移動させることにより、比較的コンパクトな状態にされ得る。
【００３７】
その上、好ましくは、シートは、制御システムの精密部品、たとえば、上記制御モジュール１、２を収納し保護する内部コンテナとして役立つ。さらに、シミュレータソフトウェアを実行するコンピュータは、コンピュータが収納空間Ｓの容積に関して適当な寸法を有するならば、上記収納空間Ｓに収納されてよい。図８に破線で示されているように、比較的小さい箱Ｂが、そのとき、緊密に詰め込まれた制御システムを収納するために使用されてよく、輸送および収納の安全と簡単さとコストの点で利点を提供する。このような箱Ｂの内寸は、好ましくは、直交座標のｘ方向、ｙ方向およびｚ方向で測定された、バックサポート４が第２の位置にあるシートの最大外寸とほぼ同程度であるか、または、その最大外寸より僅かに大きく、たとえば、約１０％または２０％だけ大きい。より小さいほうが好ましいが、上記寸法のその他の比も使用されてよい。このような箱Ｂは、畳み込まれたシートと組み合わせてその他の物体、たとえば、上記連結機構部３、上記シートサポート部材１５などを収納するためにも用意される。
【００３８】
以上、本発明の特定の実施形態について説明されているが、本発明は説明されていない別の態様で実施され得ることは明らかであろう。この説明は本発明を制限することを意図していない。
【００３９】
たとえば、コンピュータシミュレーション制御システムは、ドライビングシミュレータプログラム、レーシングシミュレータプログラム、航空シミュレータプログラムなどと組み合わせた使用に適している。システムは、１つ以上の制御モジュールを備えていてよく、各モジュールには１個以上の制御機器、たとえば、ホイール、ペダル、力フィードバック制御機器、および／または、類似のものが設けられてよい。
【００４０】
シートと少なくとも１つの制御モジュールを互いに結合する上記機構部は、種々の方法で配置されてよい。たとえば、このような機構部はシートに取り付けられるか、または、着脱可能に接続されてよい。また同様に、このような機構部は上記制御モジュールに取り付けられるか、または、着脱可能に接続されてよい。たとえば、機構部は、特に、快適な制御環境をユーザに提供するために、シートと上記制御モジュールの互いに関する位置を調節するために調節可能であってよい。
【図面の簡単な説明】
【００４１】
【図１】本発明の実施形態の正面斜視図である。
【図２】図１に示された実施形態の側面図である。
【図３】バックサポートが第１の位置にある、図１に示された実施形態のシートのフレームの背面斜視図である。
【図４】図３の位置にあるシートフレームの側面図である。
【図５】図３の位置にあるシートフレームの背面図である。
【図６】バックサポートが第２の位置にある、図１に示された実施形態のシートのフレームの背面斜視図である。
【図７】図６の細部Ｂを示す図である。
【図８】図６の位置にあるシートフレームの側面図である。
【図１】
2007534998.tif 000003
【図２】
2007534998.tif 000004
【図３】
2007534998.tif 000005
【図４】
2007534998.tif 000006
【図５】
2007534998.tif 000007
【図６】
2007534998.tif 000008
【図７】
2007534998.tif 000009
【図８】
2007534998.tif 000010
【国際調査報告】
2007534998.tif 000011
2007534998.tif 000012